(57)【要約】【課題】捺印者の氏名を印字する印字区画を備えた連続捺印型の印判において、氏名などを印字する印字区画の印字内容を簡便にしかも低コストで変更でき、必要に応じてユーザー自身で印字内容の変更を迅速に行える印判を提供する。【解決手段】捺印面に接当する外ケース１と、外ケース１で昇降自在に案内支持されて、ばね４で浮揚支持される印字ケース２を備えている。印字ケース２の下部のホルダー枠１１に２以上の印字区画Ｓ１・Ｓ２を設け、そのひとつに連続捺印が可能な氏名印ユニット２６を配置し、残る印字区画に印字内容が固定化されたゴム印字体１７とインク吸蔵マット１５とを配置する。氏名印ユニット２６はホルダー枠１１ないし印字ケース２に対して着脱可能に装着する。【選択図】図１
2008188797.tif 000002
【特許請求の範囲】
【請求項１】
捺印面に接当する外ケース（１）と、外ケース（１）に沿って昇降する印字ケース（２）と、外ケース（１）と印字ケース（２）との間に配置されて印字ケース（２）を捺印面から浮揚支持するばね（４）とを備えており、
印字ケース（２）の下部に設けたホルダー枠（１１）の内部が、区分壁（３２）で２以上の印字区画（Ｓ１・Ｓ２）に区分されており、
前記印字区画（Ｓ１・Ｓ２）のひとつ（Ｓ２）に、連続捺印が可能なゴム印字体（３９）を含む印字構造（２６）が分離可能に装着され、
残る印字区画（Ｓ１）に、印字内容が固定化されたゴム印字体（１７）とインク吸蔵マット（１５）とが配置してある連続捺印型の印判。
【請求項２】
印字構造が、上下面が開口する筒ケース（３５）と、筒ケース（３５）の下部内面に組み込まれるインク吸蔵マット（３８）およびゴム印字体（３９）とを含む氏名印ユニット（２６）からなる請求項１記載の連続捺印型の印判。
【請求項３】
ホルダー枠（１１）の下面に、印字区画（Ｓ１）に装着したゴム印字体（１７）を押え保持する押え枠（２７）が着脱可能に装着されており、
前記区分壁（３２）が、押え枠（２７）と一体に形成してある請求項１または２記載の連続捺印型の印判。
【請求項４】
ホルダー枠（１１）の下面に、印字区画（Ｓ１）に装着したゴム印字体（１７）を押え保持する押え枠（２７）が組み付けられており、
印字構造（２６）が、押え枠（２７）と一体に設けた装着構造（２５）に対して着脱自在に装着してある請求項２または３記載の連続捺印型の印判。
【請求項５】
印字ケース（２）に印字構造（２６）を装着するための装着ピース（２５）が内嵌固定されており、
装着ピース（２５）の下部に設けた区分筒壁（２９）の一部が区分壁（３２）を兼ねている請求項２または３記載の連続捺印型の印判。
【請求項６】
装着構造（２５）と印字構造（２６）との間に、印字構造（２６）の印面高さを調整する高低調整構造が設けてある請求項１から５のいずれかに記載の連続捺印型の印判。
【発明の詳細な説明】
【技術分野】
【０００１】
本発明は、複数の印字区画を備えていて多色の印字表示が可能な連続捺印型の印判に関する。
【背景技術】
【０００２】
本発明に係る連続捺印型の印判は、たとえば多色印として使用するのに好適であるが、この種の印判は特許文献１に公知である。そこでは、印面台の下面にインクを吸蔵できるゴム印字体を設け、ゴム印字体に切り込みを入れて印面を区分し、切込み部分に接着剤層や薄い金属板を配置して、隣接する印字区画に含浸させた色の異なるインクが混じりあうのを防いでいる。特許文献２には、筒状の本体部の内部に独立した３個の区室を形成し、各区室の内部にゴム印字体と、インク含浸体と、インク吸蔵材が組み込んである。
【０００３】
この種の二色印において、横長四角形状の印面に店名や法人名と住所、あるいは書類内容の表示などを印字する印字区画と、捺印者の氏名を印字する印字区画とを隣接配置し、前者の印字区画を黒または紺色などで印字し、後者の印字区画を赤または朱色で印字できる印判が市販されている（シヤチハタ株式会社  品番Ｘ−ＢＣ  商品コード６２００２等）。
【０００４】
上記の印判は、捺印面に接当する外ケースと、外ケースで昇降自在に案内支持される印字ケースと、印字ケースを捺印面から浮揚支持するばねと、印字ケースの下部に着脱されるホルダー枠などで構成してある。ホルダー枠には、個々の印字区画ごとにゴム印字体とインク吸蔵マットが組み込んであり、隣接する印字区画は金属薄板で区分してある。ホルダー枠は、外側方へスライド操作することで印字ケースから取り外して分離でき、この分離状態において上面側からインクを滴下補充できる。なお、本発明の印判に関して、印字ケースに組み込まれる連続捺印型の氏名印ユニットの基本構造は、たとえば特許文献３に公知である。
【０００５】
【特許文献１】実開昭５８−１９６１５５号公報（第４頁第３行、第２図）
【特許文献２】実公昭３９−２２３３４号公報（第１頁左欄第５〜１３行、第１図）
【特許文献３】特開平８−１０８６０６号公報（段落番号００１７、図５）
【発明の開示】
【発明が解決しようとする課題】
【０００６】
特許文献１の多色印は、インクの色が異なる隣接する印字区画を、切り込み部分に配置した接着剤層で区分することにより、隣接する印字区画に吸蔵されたインクが混じりあうのを防止できる。しかし、印字面の側からインクを滴下して補充する必要があるので、誤って隣接する印字区画にインクを滴下するおそれがある。補充されたインクがゴム印字体の各印字区画に含浸されるまえに、隣接する印字区画に染み込むおそれがある。この点、特許文献２の多色印は、筒状の本体部の上面開口から各区室のインク吸蔵体にインクを的確に滴下できる。しかし、特許文献１・２のいずれの多色印も、印字内容が固定化されていて印字内容を変更できない不便がある。
【０００７】
先に説明した市販品の印判は、特許文献２の印判と同様に、印字ケースから取り外したホルダー枠の上面側からインクを補充できる。しかし、隣接する印字区画を金属薄板で区分するだけであるため、補充されたインクがインク吸蔵マットに完全に吸い込まれる前に金属薄板を乗越えて隣の印字区画に流れ込むおそれがある。また、印字内容が固定化されていて、印字内容をユーザー自身で変更するのは難しい。印章店に交換を依頼することはできるが、交換対象となるゴム印字体を特注する必要があるので、ゴム印字体の交換に多くの時間とコストがかかり、即応性に欠ける。
【０００８】
本発明の目的は、複数の印字区画を備えた連続捺印型の印判において、インク補充の際に異なる色のインクが混じりあうのを防止できるのはもちろん、印字内容の一部を必要に応じて簡便にしかも低コストで変更できる連続捺印型の印判を提供することにある。本発明の目的は、捺印者の氏名を印字する印字区画を備えた連続捺印型の印判において、氏名などを印字する印字区画の印字内容を簡便にしかも低コストで変更でき、必要に応じてユーザー自身で印字内容の変更を迅速に行える印判を提供することにある。
【課題を解決するための手段】
【０００９】
本発明の連続捺印型の印判は、捺印面に接当する外ケース１と、外ケース１に沿って昇降する印字ケース２と、外ケース１と印字ケース２との間に配置されて印字ケース２を捺印面から浮揚支持するばね４とを備えている。印字ケース２の下部に設けたホルダー枠１１の内部は、区分壁３２で２以上の印字区画Ｓ１・Ｓ２に区分する。前記印字区画Ｓ１・Ｓ２の一方Ｓ２には、連続捺印が可能なゴム印字体３９を含む印字構造２６を分離可能に装着する。残る印字区画Ｓ１には、印字内容が固定化されたゴム印字体１７とインク吸蔵マット１５を配置する。
【００１０】
図４に示すように、印字構造は、上下面が開口する筒ケース３５と、筒ケース３５の下部内面に組み込まれるインク吸蔵マット３８およびゴム印字体３９とを含む氏名印ユニット２６からなる。
【００１１】
ホルダー枠１１の下面に、印字区画Ｓ１に装着したゴム印字体１７を押え保持する押え枠２７を着脱可能に装着する。図１１および図１６に示すように前記区分壁３２は、押え枠２７と一体に形成する。
【００１２】
ホルダー枠１１の下面に、印字区画Ｓ１に装着したゴム印字体１７を押え保持する押え枠２７を組み付ける。図１１に示すように印字構造２６は、押え枠２７と一体に設けた装着構造２５に対して着脱自在に装着する。
【００１３】
印字ケース２に印字構造２６を装着するための装着ピース２５を内嵌固定する。以て、装着ピース２５の下部に設けた区分筒壁２９の一部が区分壁３２を兼ねるようにする。
【００１４】
装着構造２５と印字構造２６との間に、印字構造２６の印面高さを調整する高低調整構造を設ける。
【発明の効果】
【００１５】
本発明においては、ホルダー枠１１の内部を区分壁３２で２以上の印字区画Ｓ１・Ｓ２に区分し、そのひとつＳ２に連続捺印が可能な印字構造２６を分離可能に装着し、残る印字区画Ｓ１に印字内容が固定化されたゴム印字体１７とインク吸蔵マット１５とを配置した。このように、印字構造２６を印字区画Ｓ２に分離可能に装着すると、印字構造２６を交換することで表示される印字内容を変更できるので、従来の印判に比べて印字内容を簡便に変更でき、必要に応じて印字構造２６の交換をユーザー自身で行える。複数の印字区画Ｓ１・Ｓ２を区分壁３２で区分するので、印字構造２６の内部に含浸したインクが隣の印字区画に染み出ることがなく、逆にゴム印字体１７に含浸させたインクが印字構造２６の側に入り込むこともない。
【００１６】
印字構造が、筒ケース３５と、筒ケース３５の内部に組み込まれるインク吸蔵マット３８およびゴム印字体３９などからなる氏名印ユニット２６で構成してあると、少なくとも氏名などを印字するための既存のゴム印字体３９とインク吸蔵マット３８を流用できるので、ゴム印字体３９を特注する必要もなく即座にしかも安価に入手できる。さらに、数千種類の氏名について常時在庫がある、連続捺印式の既製の印字ユニットを利用して氏名印ユニット２６とする場合には、とくに珍しい名字でない限りは、ゴム印字体３９を特注する必要もなく即座に氏名印ユニット２６を入手できるので、印字内容を簡便にしかも低コストで変更できる。インク補充の際に、ゴム印字体１７に含浸したインクが染み出ることがあったとしても、インクが氏名印ユニット２６の内部に入り込む余地がないので、異なる色のインクが混じりあうのを確実に防止できる。
【００１７】
押え枠２７と一体に区分壁３２を形成すると、区分壁３２の形成位置が異なる押え枠２７を複数種用意しておくことにより、印字区画Ｓ１・Ｓ２の大きさを変更できるので、例えば印字ケース２に区分壁３２が一体成形してある場合に比べて、印字区画Ｓ１・Ｓ２の大きさが異なる印判をより少ないコストで提供できる。
【００１８】
押え枠２７と一体に装着構造２５を設け、この装着構造２５に対して印字構造２６を着脱自在に装着すると、上記の押え枠２７と同様に、装着構造２５が異なる複数種の押え枠２７を用意しておくことにより、各種の印字構造２６に対応できる印判をより少ないコストで提供できる。さらに、例えば装着構造２５を印字ケース２と一体に設ける場合に比べて印字ケース２の構造を簡素化でき、しかも外ケース１や印字ケース２などの、既存の二色印の構成部品をそのまま利用して、あるいは構造の一部を変更して印判を構成することができ、印判全体の製造コストを削減できる点で有利である。
【００１９】
印字ケース２に装着ピース２５を内嵌固定し、その下部に設けた区分筒壁２９の一部が、隣接する印字区画Ｓ１の区分壁３２を兼ねるようにした印判によれば、別途区分壁３２を設ける必要がない分だけホルダー枠１１を簡素化でき、さらに、大きさが異なる複数種の装着ピース２５を用意しておくことにより、印字区画Ｓ１の大きさを大小に変更できる。また、大きさが異なる複数種の装着ピース２５を用意しておくことにより、印面サイズが異なる氏名印ユニット２６をホルダー枠１１に組むことができ、その分だけ印判の品種を多様化できる。
【００２０】
装着構造２５と印字構造２６との間に高低調整構造が設けてあると、印字構造２６の印面高さを調整して、各印字区画Ｓ１・Ｓ２に配置されたゴム印字体１７・３９の印面高さを揃えることができ、したがって両ゴム印字体１７・３９の印字結果に濃淡が生じるのを解消できる。
【発明を実施するための最良の形態】
【００２１】
（実施例１）  図１ないし図９は本発明に係る連続捺印型の印判の実施例を示す。図１ないし図３において、印判は捺印面に接当する外ケース１と、外ケース１で昇降自在に案内支持される印字ケース２と、印字ケース２に圧嵌係合されて外ケース１の上面開口を覆うグリップ３を主な構造体にして構成してある。印字ケース２は、外ケース１の内面中央と印字ケース２との間に配置した圧縮コイル形のばね４で、捺印面から浮き離れる状態で浮揚支持される。
【００２２】
外ケース１は、上下面が開口する左右横長の角枠体からなるプラスチック成形品からなり、その下半部分に捺印面に接当するスカート部６を有し、上半部にスカート部６よりひと回り小さなガイド枠７が連出してある。図３に示すようにガイド枠７は、正面から見て凹字状に形成してある。スカート部６の内面中央には、ばね４の下端を受け止めるばね受座８が形成され、その底壁に後述するばね受筒１３用の挿通穴９が形成してある。
【００２３】
印字ケース２は、下向きに開口するホルダー枠１１と、ホルダー枠１１の上面左右に突設される一対のインク補充口１２と、インク補充口１２の外側面に連続して突設される断面コ字状の連結腕１３と、インク補充口１２の間に突設されるばね受筒１４とを一体に備えたプラスチック成形品からなる。角枠状に形成されるインク補充口１２は、ホルダー枠１１の内部空間と連通している。ホルダー枠１１の内部には、インク吸蔵マット１５を組み込むための上凹部１６と、多孔質ゴムからなるゴム印字体１７を組み込むための下凹部１８とが多段状に形成してあり、上凹部１６の前後周面で左右のインク補充口１２に臨む個所には、それぞれ位置決め凹部１９（図３参照）が形成してある。
【００２４】
グリップ３は下向きに開口する横長四角容器状のプラスチック成形品からなり、その内面左右に設けた係合腕２２を、図１に示すように先の連結腕１３に凹凸係合構造２４を介して圧嵌係合することにより、印字ケース２と一体化される。グリップ３の内面中央寄りの左右には、左右のインク補充口１２の開口周縁壁に接当する押圧脚２３が一体に形成してある。なお、この実施例における外ケース１、印字ケース２、グリップ３の三者は、既製品である連続捺印型の印判用の構成部品を流用したものである。
【００２５】
ホルダー枠１１の内面一側に、インク補充口１２を利用して装着ピース（装着構造）２５を嵌め込み装着することにより、ホルダー枠１１の内部を大小２個の印字区画Ｓ１・Ｓ２に区分し、大きい側の印字区画Ｓ１に先のインク吸蔵マット１５とゴム印字体１７を装填し、装着ピース２５に連続捺印が可能な既製の氏名印ユニット（印字構造）２６を組み込んでいる。図９に示すようにゴム印字体１７の捺印面には、店名や法人名と住所、あるいは書類内容の表示などの、固定化された表示内容を印字するための印字部が膨出形成してあり、その周囲がホルダー枠１１に下面側から外嵌装着した押え枠２７で保持固定してある（図７参照）。押え枠２７は、プレス成形品とプラスチック成形品のどちらであってもよい。
【００２６】
図３および図４に示すように装着ピース２５は、氏名印ユニット２６を内嵌装着するための装着筒２８と、装着筒２８の下部に連続する四角枠状の区分筒壁２９とを一体に備えたプラスチック成形品からなる。装着筒２８の中途部周面には四角形のフランジ３０が張り出し形成され、区分筒壁２９の前後面には左右一対の位置決めリブ３１が突設してある。装着ピース２５をホルダー枠１１の内面に嵌め込んだ状態において、区分筒壁２９の三周壁がホルダー枠１１で係合保持され、同時に先のフランジ３０がインク補充口１２に嵌まり込み、さらに前後の位置決めリブ３１が位置決め凹部１９に嵌まり込む（図８参照）。これにより装着ピース２５の全体が前後方向と左右方向と上下方向に遊動規制され、位置決めされている。区分筒壁２９の四周壁のうちのひとつは、印字区画Ｓ１と印字区画Ｓ２とを区分する区分壁３２を兼ねている。なお、装着ピース２５は印字ケースに対して接着固定してもよい。
【００２７】
図４ないし図６において、氏名印ユニット２６は、上下面が開口する丸筒状の筒ケース３５と、筒ケース３５の下部内面に設けた多段状の上筒３６および下筒３７に組み込まれる、インク吸蔵マット３８および多孔質ゴムからなるゴム印字体３９と、下筒３７の外面に装着されてゴム印字体３９の抜け外れを防ぐリング状の止め金具４０と、筒ケース３５の上面開口に内嵌される栓体４１とで構成してある。この実施例では、数千種類の氏名について常時在庫がある、連続捺印式の既製の氏名印を構成する印字ユニットを利用して氏名印ユニット２６とした。したがって、とくに珍しい名字でない限りは、ゴム印字体３９を特注する必要もなく即座に、しかも安価に供給できる。
【００２８】
氏名印ユニット２６は装着ピース２５に対して着脱可能に組み込まれる。そのために、筒ケース３５の周面上部に、筒壁の弾性変形を許すスリット４３を形成し、筒壁の上部周面にリブ状の係合突起４４を形成している。氏名印ユニット２６を装着ピース２５に圧嵌装着するとき、スリット４３を含む筒ケース３５の筒壁は、縮径方向に弾性変形しながら装着筒２８をくぐり抜けたのち、係合突起４４が装着筒２８の上端開口縁で受け止められる。この組み付け状態において、氏名印ユニット２６のゴム印字体３０の印面高さと、印字区画Ｓ１に装填したゴム印字体１７の印面高さとは一致しているので、図６に示すように、グリップ３を押し下げ操作して捺印するとき、隣接する印字区画Ｓ１・Ｓ２の一方の区画における印字状態が滲んだり、かすれることはなく、均等にしかも適正に印字できる。図１および図２において符号４６は印面キャップである。
【００２９】
氏名印ユニット２６を交換する場合には、グリップ３を印字ケース２から抜き外したのち、印字ケース２の上面側から栓体４１に指先をあてがって押し込み操作することで、図４に示すように氏名印ユニット２６を装着ピース２５から下方へ分離できる。新たな氏名印ユニット２６は栓体４１の側を差し込み始端にして、筒ケース３５を装着ピース２５に差し込み係合することにより、簡単に印字ケース２と一体化できる。装着状態において、氏名印ユニット２６のゴム印字体３９は、リング状の止め金具４０と装着ピース２５の区分筒壁２９などで囲まれて、隣接する印字区画Ｓ１から隔離されるので、印字区画Ｓ１に収容したゴム印字体１７に含浸されたインクが、氏名印ユニット２６のゴム印字体３９に染み込むのを確実に防止できる。
【００３０】
以上のように構成した連続捺印型の印判は、例えば印字区画Ｓ１に収容したインク吸蔵マット１５およびゴム印字体１７に、黒や紺色のインクを含浸させ、氏名印ユニット２６のインク吸蔵マット３８およびゴム印字体３９に、赤や朱色のインクを含浸させて二色印として使用できる。例えば、前者印字区画Ｓ１のゴム印字体１７によって、図９に示すように店名や法人名と住所、あるいは書類内容の表示などの固定化された表示内容を印字し、同時に後者印字区画Ｓ２に設けた氏名印ユニット２６のゴム印字体３９によって、捺印者の氏名を印字することができる。印字構造２６は、捺印者の氏名を表わすものである必要はなく、捺印者の社員番号や、捺印者の所属する職域を意味する表示であってもよい。さらに、「検」、「済」、「控」などの検認を意味する表示や、バーコードや２次元バーコードであってもよい。
【００３１】
インクを補充する場合には、グリップ３を印字ケース２から取り外したのち、一方のインク補充口１２から所定の色のインクを滴下して、インク吸蔵マット１５にインクを含浸させる。さらに、栓体４１を筒ケース３５から取り外して、所定の色のインクを滴下して、インク吸蔵マット３８にインクを含浸させる。このように、筒ケース３５の内部にインクを滴下する状況では、滴下したインクがゴム印字体１７を収容する印字区画Ｓ１に染み出ることがなく、逆にゴム印字体１７に含浸させたインクが氏名印ユニット２６の内部に入り込む余地もない。したがって、インク補充時はもちろん、使用時に異なる色のインクが互いに混じりあうことはなく、常に適正な呈色状態の捺印を行うことができる。
【００３２】
（実施例２）  図１０および図１１は本発明に係る印判の別の実施例を示す。そこでは、押え枠２７をプラスチック成形品で形成し、上記の実施例における装着ピースに相当する装着構造２５を押え枠２７と一体に形成し、氏名印ユニット（印字構造）２６を装着構造２５に対して着脱可能に係合装着した。この場合の氏名印ユニット２６は、筒ケース３５の内部にインク吸蔵マット３８とゴム印字体３９を収容し、筒ケース３５の下面に外嵌装着した止め金具４０で抜け止めした。図１１に示すように、押え枠２７の前後壁の上縁には左右一対の係合爪２７ａが突設してあり、これらの係合爪２７ａをホルダー枠１１の前後壁の設けた段部１１ａに係合することにより、押え枠２７をホルダー枠１１に固定できる。
【００３３】
装着構造２５は、氏名印ユニット２６の印字部分を収容する角枠状の筒枠５１と、筒ケース３５が係合装着される装着座５２とを備えている。装着座５２には係合穴５３が形成され、その対向周面に回止め溝５４が形成してある。筒ケース３５の周面には回止め溝５４と係合する一対のリブ５５が形成してあり、これら両者５４・５５の係合により氏名印ユニット２６が捺印時に回動するのを規制している。氏名印ユニット２６は、装着座５２と下筒３７の上壁との間に介装したばね５６で押下げ付勢されており、これにより印字区画Ｓ１に収容したゴム印字体１７と、氏名印ユニット２６のゴム印字体３９との印面の高低差をばね５６で吸収して、両ゴム印字体１７・３９の印影の濃淡を抑止できるようにしている。
【００３４】
氏名印ユニット２６を交換する場合には、筒ケース３５の上端を下向きに押し込むだけで、氏名印ユニット２６の全体を装着構造２５から分離できる。この実施例では、筒枠５１の周囲壁のひとつが区分壁３２を兼ねる。この実施例における外ケース１と印字ケース２は既存の二色印の構成部品であって、そのまま利用して印判を構成できる。他は先の実施例と同じであるので、同じ部材に同じ符号を付してその説明を省略する。以下の実施例においても同様に扱う。
【００３５】
（実施例３）  図１２〜図１４は本発明に係る印判の別の実施例を示す。そこでは、実施例１と同様に、インク補充口１２を利用して装着ピース２５をホルダー枠１１に装着固定した。装着ピース２５は、氏名印ユニット２６の印字部分を収容する区分筒壁２９を備えており、区分筒壁２９の上壁にボス６０を一体に備えている。ボス６０の内面にはねじ穴６１が上下貫通状に形成してあり、区分筒壁２９の内面前後には、氏名印ユニット２６を回止め保持する規制リブ６２が形成してある。
【００３６】
氏名印ユニット２６は、筒ケース３５の内部にインク吸蔵マット３８とゴム印字体３９とを収容し、止め金具４０で抜け止め固定する。図１３に示すように筒ケース３５の周面前後には、先の規制リブ６２と係合する溝６３が形成してあり、これら両者６２・６３の係合により氏名印ユニット２６が捺印時に回動するのを規制している。氏名印ユニット２６の印面の高さを変更調整するために、先のねじ穴６１に調整筒６５をねじ込み装着し、その下端部分に氏名印ユニット２６を圧嵌装着している。調整筒６５は、周面に雄ねじ６６が形成してある下筒部６７と、下筒部６７より大径の操作筒６８とを一体に備えており、下筒部６７の外面に筒ケース３５の上部の筒開口６９を圧嵌装着して、筒開口６９の内面に設けた係合突起４４を下筒部６７の周面の係合突起７０で受け止めさせる。
【００３７】
上記の調整筒６５をねじ込み操作することにより、氏名印ユニット２６を高低調整して、ゴム印字体３９の印面高さを適正化できる。氏名印ユニット２６を交換する場合には、図１４に示すように、調整筒６５を最後までねじ込んで、雄ねじ６６をねじ穴６１から分離し、操作筒６８をボス６０で受け止めて、氏名印ユニット２６を印字区画Ｓ２の外へ露出させる。この状態で氏名印ユニット２６の全体を引っ張り操作することにより、係合突起４４・７０の係合状態を解除して、氏名印ユニット２６を装着構造２５から分離できる。
【００３８】
（実施例４）  図１５は本発明に係る印判の別の実施例を示す。そこでは、上記の実施例における装着ピースに相当する装着構造２５を印字ケース２と一体に形成し、氏名印ユニット（印字構造）２６を装着構造２５に対して着脱可能に係合装着した。この場合の装着構造２５は、区分筒壁２９と、氏名印ユニット２６の筒ケース３５が内嵌装着される筒壁７１を含んで構成してある。氏名印ユニット２６は、上筒３６の中心軸線と下筒３７の中心軸線とが偏心させてある。区分筒壁２９の周壁のひとつは、大小２個の印字区画Ｓ１・Ｓ２を区分する区分壁３２を兼ねている。
【００３９】
（実施例５）  図１６および図１７は本発明に係る印判の別の実施例を示す。そこでは、区分壁３２を押え枠２７と一体に形成し、さらに区分壁３２に連続する前後壁７３を設けて、区分壁３２と前後壁７３とホルダー枠１１の側端壁で囲まれる装着構造２５を形成し、その内部に印字構造２６を収容した。この場合の印字構造２６は、インク吸蔵マット５８と、ゴム印字体５９とからなり、これら両者は、上凹部１６と押え枠２７とで保持固定される。インクを補充する場合には、グリップ３を印字ケース２から取り外したのち、各インク補充口１２から所定の色のインクを滴下して、インク吸蔵マット１５・５８にインクを含浸させる。この状態からさらに、印字ケース２を外ケース１から分離し、押え枠２７の係合爪２７ａと段部１１ａとの係合を解除すると、押え枠２７をホルダー枠１１から分離できるので、インク吸蔵マット５８およびゴム印字体５９を交換することができる。
【００４０】
上記の実施例では、ホルダー枠１１を印字ケース２と一体に形成したが、ホルダー枠１１を印字ケース２と別体の部品で形成して、印字ケース２に対してスライド着脱自在に装着することができる。その場合には、氏名印ユニット２６の上下寸法をホルダー枠１１の上下寸法と同じ程度にまで小さく設定して、筒ケース３５がホルダー枠１１の出し入れの邪魔になるのを避けるとよい。本発明の印判は、各実施例に固有の構造を組み合わせて実施することができる。
【００４１】
固定化された表示内容を印字するゴム印字体１７に含浸されるインクと、氏名印ユニット２６のゴム印字体３９に含浸されるインクとは、色違いとする以外に、異質のインクを含浸させて使用することができる。例えば、前者インクを染料系や顔料系の通常インクで形成しておき、後者インクを紫外線を照射した場合にのみ読み取りできる蛍光インクで形成することができる。印字区画は２個以上設けることができる。インク吸蔵マット３８の代わりに、栓体４１に装着した棒状のインク吸蔵体にインクを含浸させて、ゴム印字体３９にインクを補充することができる。
【図面の簡単な説明】
【００４２】
【図１】実施例１に係る印判の縦断正面図である。
【図２】印判の正面図である。
【図３】主な構成部品の一部を破断した分解正面図である。
【図４】グリップと印字ユニットを分離した状態の縦断面図である。
【図５】図１におけるＡ−Ａ線断面図である。
【図６】印判の捺印状態を示す縦断正面図である。
【図７】印判の底面図である。
【図８】図５におけるＢ−Ｂ線断面図である。
【図９】捺印の結果えられる印字例を示す平面図である。
【図１０】実施例２に係る印判を示す縦断正面図である。
【図１１】図１０に係る構成部品の一部を破断した分解正面図である。
【図１２】実施例３に係る印判を示す縦断正面図である。
【図１３】図１２に係る構成部品の一部を破断した分解正面図である。
【図１４】印字構造の着脱状況を示す縦断正面図である。
【図１５】実施例４に係る印判を示す縦断正面図である。
【図１６】実施例５に係る印判を示す縦断正面図である。
【図１７】図１６におけるＣ−Ｃ線断面図である。
【符号の説明】
【００４３】
１  外ケース
２  印字ケース
４  ばね
１１  ホルダー枠
１５  インク吸蔵マット
１７  ゴム印字体
２５  装着ピース
２６  氏名印ユニット
３５  筒ケース
３８  インク吸蔵マット
３９  ゴム印字体
【図１】
2008188797.tif 000003
【図２】
2008188797.tif 000004
【図３】
2008188797.tif 000005
【図４】
2008188797.tif 000006
【図５】
2008188797.tif 000007
【図６】
2008188797.tif 000008
【図７】
2008188797.tif 000009
【図８】
2008188797.tif 000010
【図９】
2008188797.tif 000011
【図１０】
2008188797.tif 000012
【図１１】
2008188797.tif 000013
【図１２】
2008188797.tif 000014
【図１３】
2008188797.tif 000015
【図１４】
2008188797.tif 000016
【図１５】
2008188797.tif 000017
【図１６】
2008188797.tif 000018
【図１７】
2008188797.tif 000019